(57)【要約】【課題】加圧時間が少なく取り扱いが容易なカフ装置およびそれを備える小型で軽量の血圧計を提供すること。【解決手段】空気袋をシャーシの内側に筒状に納め、該空気袋に加圧空気を導入して測定部位を阻血する血圧測定用のカフ装置を有し、前記空気袋の内周面を覆うように、筒形状の布カバーを備えており、該布カバーが伸縮性を有していて、前記ケーシングの全体または、該ケーシング内側に取り付けられた、前記カフ装置の円筒が、正面から後方へ向かって徐々に下降するように配置されていると共に、測定値を表示するための表示パネルのパネル面が、前記傾斜とは逆に正面側から後方側に向かって徐々に上昇する向きに配置されていることを特徴とする血圧計。【選択図】図９
2010036047.tif 000002
【特許請求の範囲】
【請求項１】
空気袋をシャーシの内側に筒状に納め、該空気袋に加圧空気を導入して測定部位を阻血する血圧測定用のカフ装置を有し、
前記空気袋の内周面を覆うように、筒形状の布カバーを備えており、
該布カバーが伸縮性を有していて、前記筒形状の両端には環状のリングが取り付けられていて、
該カフ装置を備えるケーシング内側に取り付けられた、前記カフ装置の円筒が、正面から後方へ向かって徐々に下降するように配置されていると共に、測定値を表示するための表示パネルのパネル面が、前記傾斜とは逆に正面側から後方側に向かって徐々に上昇する向きに配置されている
ことを特徴とする血圧計。
【発明の詳細な説明】
【技術分野】
【０００１】
本発明は、測定部位を空気袋の収納された円筒の挿入部に挿入して測定部位を阻血する血圧測定用のカフ装置を備える血圧計に関する。
【背景技術】
【０００２】
従来、測定部位（上腕、前腕）を空気袋の収納された円筒の挿入部に挿入して測定部位を阻血する血圧測定用のカフ装置（以下、測定部位挿入式のカフ装置と呼ぶ）としては、血圧測定時に空気袋を内蔵したカフ（腕帯）を測定部位にフィットさせるために、図１２（特開平１０−３１４１２３号）に示すようにカフ１００をモータ２００やテープ３００などを用いて機構的に引っ張り巻き取る方式を用いたものがよく知られている。
【０００３】
しかし、このようなカフを巻き取る方式では、多くの電力を必要とし、構造が複雑で組み立てが煩雑となり、形状も重量も大きかった。
【０００４】
これに対して、測定部位（上腕、前腕）の径に対し十分大きい径をもつ空気袋を内蔵したカフを筒状に形成し、空気袋の内部に加圧空気を導入して、カフが測定部位にフィットするまでカフの径を小さくしていく方式が考えられている。
【０００５】
しかし、このような従来考えられた加圧空気の導入によりカフを測定部位にフィットさせる方式のカフ装置では、カフを巻き取る方式に比べ、血圧計は小型で軽量に組み立てられるが、以下のような問題があった。
【０００６】
まず、第１に、加圧空気の導入によりカフを測定部位にフィットさせるには、手で捲回して装着する通常のカフに比べて空気袋の容量を４〜５倍程度大きくする必要があり、加圧空気を空気袋に導入する加圧に時間がかかった。この点は、通常の血圧計に使用する加圧ポンプを４〜５個使用するか、吐出能力の４〜５倍高い加圧ポンプに変更することなども考えられるが、その場合には、大きな消費電力を必要とすることからＡＣ電源を設ける必要があるなど、血圧計の形状や重量が大きくなるものであった。
【０００７】
第２に、加圧前の空気袋の筒状の径は大きく作られており、加圧の過程で径が大きく変化することから、空気袋を加圧して測定部位にフィットするまでの間で空気袋の内周面（測定部位に接する側の面）上にしわが発生しやすく、特に、測定部位の動脈付近に相当する空気袋の位置にしわが発生した場合には阻血性能に影響する可能性があった。また、血流音（コロトコフ音）を検出することによって血圧値を測定する血圧計に取り付けられるカフ装置では、コロトコフ音を検出するためのマイクロホンをカフに設ける必要があるが、空気袋のしわの状態によってはマイクロホンが測定部位に密着せず、コロトコフ音の適切な検出ができない可能性があった。
【０００８】
第３に、空気袋は測定部位の挿入部を形成する円筒形状のシャーシ（ケース）の内側に筒状に取り付けられるが、阻血能力の小さくなる空気袋の両端が接する部分での阻血能力は小さかった。このため、この部分に、測定部位の動脈付近が位置するように、測定部位が挿入される場合には、正しい阻血ができなかった。
【０００９】
第４に、空気袋の円筒形状のシャーシへの取り付けに際して、加圧空気の給排気や圧力検出のためのノズル（連通管）の位置を確保しながら空気袋を両面テープなどで固定するため、組み立て作業が難しかった。
【００１０】
第５に、空気袋の内周面を被う布カバーの大きさは、測定部位の適用範囲で十分に膨らんだ状態の空気袋をカバーする必要があるため、小さい筒状の径寸法に対応できる大きなものにする必要があり、空気袋に加圧空気が導入される前は、外観上しわが出来たりたるみのある状態であった。
【００１１】
そして、第６に、布カバーは測定部位が頻繁に当接するため汚れやすく、取り替えの必要が生じるが、布カバーの血圧計本体への着脱が容易には出来ない構造であった。
【発明の概要】
【発明が解決しようとする課題】
【００１２】
本発明は、上記従来例の測定部位挿入式のカフ装置、このうち、特に、加圧空気の導入によりカフを測定部位にフィットさせる方式のカフ装置の問題点に鑑みてなされたものであって、加圧時間が少なく取り扱いと組み立てが容易なカフ装置を備える取り扱いと組み立てが容易な小型で軽量な血圧計を提供することを目的とする。
【課題を解決するための手段】
【００１３】
上記目的は、本発明にあっては、空気袋をシャーシの内側に筒状に納め、該空気袋に加圧空気を導入して測定部位を阻血する血圧測定用のカフ装置を有し、前記空気袋の内周面を覆うように、筒形状の布カバーを備えており、該布カバーが伸縮性を有していて、前記筒形状の両端には環状のリングが取り付けられていて、該カフ装置を備えるケーシング内側に取り付けられた、前記カフ装置の円筒が、正面から後方へ向かって徐々に下降するように配置されていると共に、測定値を表示するための表示パネルのパネル面が、前記傾斜とは逆に正面側から後方側に向かって徐々に上昇する向きに配置されている血圧計により、達成される。
さらに、上記目的は、下記（１）〜（１８）の発明により、達成してもよい。
（１）空気袋をシャーシの内側に筒状に納め、空気袋に加圧空気を導入して測定部位を阻血する血圧測定用のカフ装置において、前記加圧空気の導入前に空気袋が膨らんだ状態に保持されるようクッション材を空気袋の内部に設けることを特徴とする血圧測定用のカフ装置。
（２）前記クッション材は、空気袋の内周面に対向する表面に凹凸が形成されていることを特徴とする請求項１に記載のカフ装置。
（３）前記クッション材は、空気袋の内部に複数個に分割されて固定されていることを特徴とする上記（１）または（２）のいずれかに記載のカフ装置。
（４）空気袋の前記クッション材の設けられている少なくとも１つの位置の内周面にマイクロホンが取り付けられていることを特徴とする上記（３）に記載のカフ装置。
（５）前記クッション材は、空気袋の内部に、空気袋の展開形状での長手方向の略中央の位置に１個固定され、前記固定された１個のクッション材に対して前記長手方向の対称の位置に各１個固定され、前記対称の位置に固定されたクッション材の対向する空気袋の内周面にマイクロホンを取り付けたことを特徴とする上記（２）に記載のカフ装置。
（６）前記空気袋の外周面に弾性を有する帯状板材を取り付けたことを特徴とする上記（１）ないし（５）のいずれかに記載のカフ装置。
（７）前記帯状板材は、空気袋をシャーシの内側に筒状に納めたとき、前記シャーシの測定部位の挿入口の近くに位置するように、空気袋の内部に取り付けられていることを特徴とする上記（６）に記載のカフ装置。
（８）空気袋がシャーシの内側に筒状に納められたとき、前記空気袋の展開形状の長手方向の両端部が互いに重なった状態となることを特徴とする上記（１）ないし（７）のいずれかに記載のカフ装置。
（９）前記重なった状態となる空気袋の両端部の少なくとも１つの端部の内部に、補助クッション材が固定されていることを特徴とする上記（８）に記載のカフ装置。
（１０）前記補助クッション材は、空気袋の長手方向に垂直の方向で厚みが変化していることを特徴とする上記（９）に記載のカフ装置。
（１１）空気袋の外周面にきのこ形状のフランジを有する複数個の固定具を有し、前記空気袋がシャーシの内側に筒状に納められるよう前記シャーシに前記フランジが係止される係止孔を有することを特徴とする血圧測定用のカフ装置。
（１２）前記係止孔は、大きい穴と小さい穴の連結した達磨形状をしており、前記きのこ状のフランジは大きい穴から挿入され小さい穴に移されることで係止されることを特徴とする上記（１１）に記載のカフ装置。
（１３）前記固定具の少なくとも１つに空気袋の加圧空気の吸排気の連通孔が設けられることを特徴とする上記（１１）または（１２）に記載のカフ装置。
（１４）前記固定具の少なくとも１つに空気袋の加圧空気の圧力検出のための連通孔が設けられることを特徴とする上記（１１）または（１２）に記載のカフ装置。
（１５）前記空気袋は加圧空気の導入前に膨らんだ状態に保持されるよう内部にクッション材が設けられ、前記連通孔にはクッション材の破片が通らないようフィルターが設けられていることを特徴とする上記（１３）または（１４）に記載のカフ装置。
（１６）空気袋がシャーシの内側に筒状に納められたとき、前記空気袋の内周面が伸縮性を有する繊維よりなる布カバーで被われることを特徴とする上記（１）ないし（１５）のいずれかに記載のカフ装置。
（１７）前記布カバーは筒形状に形成され、両端に環状の弾性リングを有し、前記弾性リングが血圧計本体の凹部に嵌合することで、布カバーが血圧計に装着されることを特徴とする上記（１６）に記載のカフ装置を備える血圧計。
（１８）上記（１）ないし（１６）のいずれかに記載のカフ装置を備える血圧計。
【発明の効果】
【００１４】
以上説明したように、本発明によれば、更に、空気袋がシャーシの内側に筒状に納められたとき、空気袋の内周面が伸縮性を有する繊維よりなる布カバーで被われることで、布カバーは適用される測定部位の寸法や、加圧時の空気袋の膨張に十分追従して伸びるため、加圧空気を導入しない状態で、布カバーに外観上のしわやたるみのない状態にすることができる。
そして、以上の効果をもつカフ装置を備える本発明の血圧計は、取り扱いと組み立てが容易であり小型で軽量にできる。
【図面の簡単な説明】
【００１５】
【図１】本実施例の展開した空気袋を外周面側からみた図である。
【図２】図１の空気袋のＡ−Ａ断面図である。
【図３】本実施例の展開した空気袋を内周面側からみた図（ａ）と、（ａ）のＢ−Ｂ断面図（ｂ）である。
【図４】本実施例のシャーシの測定部位の挿入の入口方向からみる外観図（ａ）と、挿入される測定部位の出口方向からみる外観図（ｂ）である。
【図５】本実施例の空気袋の取り付けられたシャーシを、上方向（血圧計に取り付けたときの上方向）からみた外観図である。
【図６】図５の空気袋の取り付けられたシャーシのＣ−Ｃ断面図である。
【図７】図５の空気袋の取り付けられたシャーシのＤ−Ｄ断面図である。
【図８】本実施例の血圧計の正面図（ａ）と側面図（ｂ）である。
【図９】本実施例の血圧計の縦断面図（図８（ａ）のＥ−Ｅ断面図）である。
【図１０】本実施例のカフ装置の布カバーの外観斜視図（ａ）と正面図（ｂ）と側面図（ｃ）である。
【図１１】本実施例の血圧計で血圧測定を行っている図である。
【図１２】従来例の代表的なカフを巻き取る方式のカフ装置の図である。
【発明を実施するための形態】
【００１６】
以下、本発明のカフ装置およびそれを備えた血圧計を添付図面に示す好適な実施例に基づき詳細に説明する。
【００１７】
本実施例のカフ装置は、測定部位としては上腕用であり、基本的には空気袋と空気袋を取り付けるシャーシ（ケース）、更に、好ましくは空気袋の布カバーから構成されている。また、本実施例の血圧計は、血流音（コロトコフ音）を検出することにより血圧値を測定する血圧計であり、カフ装置には、コロトコフ音を検出するためのマイクロホンが設けられるものである。
【００１８】
図１は本実施例のカフ装置の展開された空気袋の外周面（筒状にされてシャーシに納められたとき測定部位から遠い側の面）からみた図であり、図２は図１の空気袋のＡ−Ａ断面図である。また図３（ａ）は本実施例の展開された空気袋の内周面（筒状にされてシャーシに納められたとき測定部位に接する側の面）からみた図であり、図３（ｂ）は、図３（ａ）のＢ−Ｂ断面図である。尚、図３（ａ）では、マイクロホンの取り付けた状態が示されている。
【００１９】
図１にみるように空気袋１０の展開形状は略長方形であり、概略寸法は、幅（長手方向に垂直の方向の長さ）１３〜１４ｃｍであり長さ（長手方向の長さ）は４５〜５０ｃｍ程度であり、長さ方向（長手方向）の両端１０１、１０２と幅方向（長手方向に垂直な方向）の１つの端１０３が高周波溶着（溶着部は斜線で表示）されて、袋状に形成されている。
【００２０】
図１と図２にみるように、空気袋１０の外周面１１０には、空気袋１０のシャーシ（ケース）への取り付け（固定）を容易にするために、固定具１１が４個（１１ａ、１１ｂ、１１ｃ、１１ｄ）、高周波溶着（溶着部は図１で斜線で表示）で取り付けられている。４個の固定具１１は、図２の固定具１１ａに代表的に示すように、きのこ形状のフランジ１１１とその下のくびれ部分１１２からなっている。また、図１にみるように、固定具１１には穴１１３が設けられ、後述のように、固定具１１ａ、１１ｂ、１１ｃの穴１１３は、空気袋１０の内部へと通じる連通孔となっている。  
４個の固定具１１の空気袋１０の外周面１１０の幅方向（長手方向に垂直な方向）の位置は、高周波溶着されている端１０３と反対の端１０４に、幅方向の中央からやや寄った位置となっている。また、４個の固定具１１の空気袋１０の外周面１１０の長さ方向（長手方向）の位置については、固定具１１ａ−１１ｂ間と固定具１１ｃ−１１ｄ間は等しい間隔に、固定具１１ｂ−１１ｃ間は、この等しい間隔とはやや狭い間隔となっている。４個の固定具１１は、外周面の長さ方向（長手方向）の中央に対しては、対称ではなく、全体としてやや一方の端１０１寄りに取り付けられている。空気袋１０が円筒形のシャーシに取り付けられたとき、空気袋１０の固定具１１ａ−１１ｂ間と固定具１１ｃ−１１ｄ間の部分は、シャーシの側面に、固定具１１ｂ−１１ｃ間の部分はシャーシの下面に、固定具１１ａと近くの端（長さ方向の端）１０１までの部分と固定具１１ｄと近くの端（長さ方向の端）１０２までの部分は、シャーシの上面に取り付けられる。
【００２１】
空気袋１０の外周面１１０の外側の表面には、長手方向の略中央部には略長方形の小さなシートを短端部において高周波溶着（溶着部は斜線で表示）して、マインロホンのケーブル保持部１２が取り付けられている。
【００２２】
図２にみるように、空気袋１０の外周面１１０の内側には、たとえばポリエチレンまたはポリプロピレンなどの弾性を有する帯状板材１３が両面テープなどで、空気袋１０の長手方向に沿って、貼り付けられている。
【００２３】
また、空気袋１０の内部には、たとえばウレタンなどのスポンジ状のクッション材（クッション部材）１４が３個（１４ａ、１４ｂ、１４ｃ）分割された位置に取り付けられている。また、空気袋１０の長さ方向（長手方向）の端１０２の近くの部分（端部）には、同じくウレタンなどのスポンジ状の補助クッション材（補助クッション部材）１５が取り付けられている。
【００２４】
図１と図３（ａ）では、破線で、固定具１１、ケーブル保持具１２と共に、空気袋１０に内蔵されている帯状板材１３とクッション材１４、補助クッション材１５が示されている。
【００２５】
帯状板材１３は、空気袋１０の高周波溶着された幅方向（空気袋の長手方向に垂直な方向）の端１０３の近くに、この端１０３に平行に伸びて、貼り付けられている。また、補助クッション材１５は、空気袋１０の高周波溶着された幅方向（空気袋の長手方向に垂直な方向）の端１０３とは反対の側の端１０４寄りに取り付けられている。
【００２６】
３個のクッション材１４（１４ａ、１４ｂ、１４ｃ）は、空気袋１０の長手方向の略中央の位置（図１、図２、図３（ａ）にみるように、わずかに、長手方向の一方の端１０１寄りの位置）である固定具１１ｂと固定具１１ａの間に１個（１４ｂ）、その両側にそのクッション材１４ｂに対して空気袋１０の長手方向に４０ｍｍ程度離して、対称の位置に、各１個（１４ａ、１４ｃ）取り付けられている。補助クッション材１５は、固定具１１ｄと空気袋１０の長手方向の近くの端１０２との間に１個設けられている。
【００２７】
クッション材１４の取り付けは、空気袋１０の外周面１１０に対向する面で固定されるものであり、一部、帯状板材１３と重なった状態で取り付けられる。帯状板材１３と接する部分は直接帯状部材１３に、外周面１１０に接する部分は直接外周面１１０に、両面テープなどで、固定して取り付けられる。補助クッション材１５は、空気袋１０の外周面１１０に直接両面テープなどで、固定して取り付けられる。
【００２８】
帯状板材１３の寸法は、幅（空気袋の長手方向に垂直の方向の長さ）３０ｍｍ、長さ（空気袋の長手方向の長さ）４００ｍｍ、厚さ１〜２ｍｍ程度である。
【００２９】
クッション材１４の寸法は、空気袋１０の略中央に取り付けられたクッション材１４ｂについて、幅（空気袋の長手方向の長さ）が約４０ｍｍ、長さ（空気袋の長手方向に垂直の方向の長さ）が約９０ｍｍ、最大厚さ約２５ｍｍ程度であり、クッション材１４ｂの両側にある２つのクッション材１４ａ、１４ｃは幅（空気袋の長手方向の長さ）が約８０ｍｍ、長さ（空気袋の長手方向に垂直の方向の長さ）が約９０ｍｍ、最大厚さ約２５ｍｍ程度である。
【００３０】
また、補助クッション材１５の寸法は、幅（空気袋の長手方向の長さ）が約４０ｍｍ、長さ（空気袋の長手方向に垂直の方向の長さ）が約６０ｍｍであり、厚さについては、図３（ｂ）の断面図にみるように、空気袋１０の長手方向に垂直の方向で帯状板材１６の位置から固定具１１の位置に向かって、基本的に、最小の厚さ約１０ｍｍから最大の厚さ約４０ｍｍへと漸増（変化）している。
【００３１】
クッション材１４の空気袋１０の内周面１２０の側の面（内周面１２０に対向する面）は全体が凹凸形状（波型）に加工されており、この凹凸はたとえば１０ｍｍ程度の厚さの差である。
【００３２】
このように、空気袋１０の内部には、クッション材１４が取り付けられているため、加圧空気の導入前の自然状態においても、空気袋１０は、クッション材１４が取り付けられている部分では、３０ｍｍ程度の厚さで膨らんでおり、血圧測定時の加圧空気の導入量を減らし加圧時間を減少させることができる。
【００３３】
また、空気袋１０の自然状態の厚さはクッション材１４の最大の厚さで決まるため、凹凸形状のないクッション材でも必要な厚さを備えていれば、加圧空気の導入前の空気袋を本実施例と同程度に膨らまし、血圧測定時の加圧空気の導入量を減らし加圧時間を減少させることは可能だが、クッション材１４に凹凸形状を設けることで、クッション材１４を空気袋１０の内周面１２０の側から押し潰す力を少なくすることができ、上腕（測定部位）を挿入するときの抵抗を軽減できる。
【００３４】
補助クッション材１５は、クッション材１４と異なり、空気袋１０の内周面１２０に対向する面は凹凸形状（波型）に加工されていないが、厚さが、空気袋１０の幅方向（長手方向に垂直の方向）で帯状板材１３の位置から固定具１１の位置の方向に向かって変化（漸増）する。この補助クッション材１５は、クッション材１４と同様、加圧空気の導入量を減らし加圧時間を減少させるが、同時に、後述するように、シャーシの上面に位置することで、空気袋１０の内周面１２０に挿入された上腕（測定部位）の上部前方の部分にフィットさせ、上腕がカフ装置に挿入された状態で上腕が上下方向に動くことを防止し、安定した測定を可能にしている。
【００３５】
また、クッション材１４や補助クッション材１５は、空気袋１０の内部で分割して固定されているために、しわの発生する箇所をクッション材の固定されていない部分に特定でき、空気袋１０のクッション材１４、１５のある部分の内周面１２０には、ほとんどしわが発生しない。
【００３６】
図３（ａ）にみるように、空気袋１０の内周面１２０の表面にはウレタンシートのポケット１６（１６ａ、１６ｂ）が高周波溶着（溶着部は斜線で表示）で取り付けられており、この中に、血流音（コロトコフ音）を検出するためのマイクロホン１７が２個（１７ａ、１７ｂ）、ケーブル１８で接続されて納められている。２つのマイクロホン１７ａ、１７ｂを接続するケーブル１８は、破線で示される空気袋１０の外周面１１０の外側の表面に取り付けられているケーブル保持部１２を通すことで、マイクロホン１７の間のケーブル１８を空気袋１０に保持し、空気袋１０をシャーシに取り付けることを容易にする。
【００３７】
空気袋１０は筒状に形成され、ＡＢＳ樹脂などより成る筒形状の成形品であるシャーシ（ケース）２０の内面に、４個の固定具１１（１１ａ、１１ｂ、１１ｃ、１１ｄ）をシャーシ２０の４個の係止孔１９（１９ａ、１９ｂ、１９ｃ、１９ｄ）に係止することで取り付けられている。
【００３８】
図４（ａ）（ｂ）はシャーシ２０の外観図である。図４（ａ）は、腕（測定部位）が挿入される入口方向の側からの斜視図であり、図４（ｂ）は、その反対の側（出口方向の側）からの斜視図である。係止孔１９ａ、１９ｂ、１９ｃ、１９ｄには、それぞれ、空気袋１０の固定具１１ａ、１１ｂ、１１ｃ、１１ｄが係止される。
【００３９】
シャーシ２０の上部にはノイズセンサーの取り付け部２１が設けられていて、この取り付け部２１に、図示しないノイズセンサーが取り付けられる。このシャーシ２０に取り付けられるノイズセンサーにより、マイクロホン１７に、血流音ではなく血圧計本体からのノイズ（例えば，測定台の振動音が血圧計本体に伝播することにより生じるノイズ）が検出される場合に、その検出信号をキャンセルすることができ、正確に上腕の測定部位からの血流音（コロトコフ音）を検出することができる。
【００４０】
また、シャーシ２０の下部には、２つのポンプ取り付け部２２（２２ａ、２２ｂ）と電磁弁取り付け部２３（２３ａ、２３ｂ）が設けられている。これら取り付け部に取り付けられるポンプと電磁弁は、空気袋１０への加圧空気の供給と排気を行うものである。
【００４１】
その他、シャーシ２０の円筒の外表面上に形成されている放射状の種々の突起部２４は、シャーシ２０の補強と共に血圧計本体にシャーシ２０を取り付けるときの位置合わせに用いられるものである。尚、シャーシ２０が血圧計本体に取り付けられるとき、前述の２つのポンプ取り付け部２２（２２ａ、２２ｂ）と電磁弁取り付け部２３（２３ａ、２３ｂ）の間、すなわち、シャーシ２０の円筒の真下の辺りに、ポンプや電磁弁の駆動等に必要な電源を供給する乾電池が納められる。
【００４２】
図４（ａ）の係止孔１９ｃと図４（ｂ）の係止孔１９ｂに示すように、シャーシ２０に設けられている係止孔１９は大きな穴１９１と小さな穴１９２がくびれ部分１９３でつながった達磨形状となっている。また、シャーシ２０の外側のこの達磨形状の係止孔１９の周辺は、係止孔１９ａ、１９ｄに示すようにやや肉厚に形成されている。
【００４３】
係止孔１９の大きい穴１９１は、固定具１１のきのこ形状のフランジ１１１より大きく、小さな穴１９２はきのこ形状のフランジ１１１より小さい。大きな穴１９１と小さな穴１９２のつながったくびれ部分１９３は固定具１１のフランジ１１１の下のくびれ部分１１２より狭く形成されている。空気袋１０のシャーシ２０への取り付けは、固定具１１のきのこ形状のフランジ１１１を大きな穴１９１から挿入した後スライドさせてくびれ部分１９３を通過させて小さな穴１９２に移すことにより、きのこ形状のフランジ１１１を係止することによりなされる。固定具１１は、弾性を有する材料、たとえばポリウレン樹脂などより成るため、フランジ１１１の下のくびれ部分１１２は係止孔１９のくびれ部分１９３を通過する際には変形することで通過できる。
【００４４】
図５はシャーシ２０に空気袋１０を取り付けた外観図（シャーシの上からみた図）である。図６は図５のＣ−Ｃ断面図であり、図７は図５のＤ−Ｄ断面図であり、共に、シャーシ２０の内側の様子が示されている。図５、図６、図７は、本実施例のカフ装置の基本構造を示す図でもある。
【００４５】
図５には、空気袋１０の外周面１１０に設けた固定具１１（１１ａ、１１ｄ）のきのこ形状のフランジ１１１が、係止孔１９の大きい穴１９１から小さい穴１９２に移されて、固定具１１（１１ａ、１１ｄ）が係止孔１９（１９ａ、１９ｄ）に取り付けられている様子が示されている。
【００４６】
固定具１１ａには、空気袋１０の内部への貫通孔（連通孔）１１３があり、ノズル（加圧空気の連通管）の機能を兼ねるものであり、この連通孔を通して加圧空気の圧力を検出できるようになっている。また、図６に示される固定具１１ｂと固定具１１ｃについても、固定具１１ａと同様、空気袋１０の内部への貫通孔（連通孔）１１３があり、この連通孔１１３を通して、ポンプと電磁弁に接続されて加圧空気の給排気を行うことができるものであり、ノズル（加圧空気の連通管）の機能を兼ねている。尚、固定具１１ｄは、固定具１１ａ、１１ｂ、１１ｃと同じ形状（外見上、穴１１３が存在する）だが、穴１１３は空気袋１０の内部へ連通していなくて、本実施例では、ノズルの機能は備えていない。
【００４７】
固定具１１ａ、１１ｂ、１１ｃについては、固定具１１のきのこ形状のフランジ１１１が係止孔１９の小さい穴１９２に移って、固定具１１が係止孔１９に係止して空気袋１０がシャーシ２０に取り付けられた後に、固定具１１の貫通孔（連通孔）１１３には、図示しない加圧空気を導通させるチューブ等への接続管が挿入されるが、この挿入は固定具１１の貫通孔１１３を半径方向に膨らませるように圧力がかかる。このことにより固定具１１のフランジ１１１の下のくびれ部分１１２は、係止孔１９の小さな穴１９２の周辺に圧着させられるため、固定具１１ａ、１１ｂ、１１ｃが、再び係止孔１９のくびれ部分１９３に戻って大きな穴１９１に移動して抜ける恐れはなく、係止孔１９への強固な係止が実現できる。
固定具１１ａ、１１ｂ、１１ｃのように、固定具１１にノズル（加圧空気の連通管）の機能を付与することで、ノズルを別に設ける必要はない。また、固定具をノズルと別に設けた場合のようにノズルの位置をシャーシ２０の中で確保しながら、空気袋１０をシャーシ２０に取りつける煩雑さはなく、簡単な取り付け構造で、容易に、また強固に、空気袋１０をシャーシ２０に取り付けることができる。
【００４８】
前述のように、空気袋１０の内部には、クッション材１４と補助クッション材１５が取り付けられるが、本実施例のカフ装置２の使用を続けるうちに、これらのクッション材の破片が生じて、この破片が固定具１１ｂ、１１ｃの連通孔１１３を通して、ポンプや電磁弁に通じる接続管に移動し、ポンプや電磁弁の機能に支障を生じる可能性がある。このため、本実施例の固定具１１ｂ、１１ｃの連通孔１１３では、クッション材の破片が通過しないように、くびれ部分１１２にメッシュ（網の目）状のフィルターが設けられている。本実施例では、固定具１１ａの連通孔１１３については、加圧空気の給排気を行う固定具１１ｂ、１１ｃの連通孔１１３ほど、クッション材の破片が通過するものではないため、フィルターが設けられていないが、フィルターを設けてクッション材の破片のチューブ（圧力センサーへの接続管）への侵入を妨げることで、圧力測定をより正確にできる。
【００４９】
尚、シャーシ２０の下部の係止孔１９ｂと係止孔１９ｃや上部の係止孔１９ｄと係止孔１９ａは、小さい穴１９２を大きい穴１９１の外側（図５でＤ−Ｄ断面から遠ざかる側）に形成されていることから、空気袋１０がシャーシ２０の内部で回転してずれて外れる恐れはない。また、特に、シャーシ２０の下部の係止孔１９ｂの外側の小さい穴１９２と係止孔１９ｃの外側の小さい穴１９２の間隔は、空気袋１０の固定具１１ｂと１１ｃの間隔に等しくすることで、係止孔１９ｂ、１９ｃと固定具１１ｂ、１１ｃの係止による空気袋１０のシャーシ２０の下部への取り付けは安定したものとなる。
【００５０】
図６にみるように、阻血能力の小さい空気袋１０の長手方向の両端１０１、１０２の近くの部分（端部）が筒形状のシャーシ２０の最上部近傍でお互いに重なった状態となるように取り付けられることから、この部分での阻血性能を高めることができ、この部分に、測定部位の動脈付近が位置するように測定部位が挿入される場合にも、正しい阻血ができる。
【００５１】
また、クッション材１４や補助クッション材１５は、空気袋１０の内部で分割して固定されているために、しわの発生する箇所を、空気袋１０の内周面１２０のクッション材１４や補助クッション材１５の固定されていない部分（図で谷を形成している部分）に特定でき、クッション材１４が対向する空気袋１０の内周面１２０には、しわがほとんど発生しない。従って、図６のように、通常、左右の上腕（測定部位）の動脈付近に対応する空気袋１０の内部の位置（シャーシ２０内の側面の位置）にクッション材１４ａ、１４ｃが、固定されていることで、上腕（測定部位）の動脈付近での阻血性能を十分に維持することができる。また、しわが発生していない、クッション材１４ａ、１４ｃが対向する空気袋１０の内周面１２０にマイクロホン１７ａ、１７ｂが取り付けられていることから、加圧空気の導入後の測定状態において、マイクロホン１７を上腕（測定部位）に密着させることができ、左右いずれの上腕（測定部位）でも、コロトコフ音の検出を適切に行うことができる。
【００５２】
シャーシ２０の下部には対称の位置にポンプ取り付け部２２（２２ａ、２２ｂ）が示されており、ここに取り付けられるポンプは近くに示されているノズルの機能を有する固定具１１ｂ、１１ｃに電磁弁と共に接続される。
【００５３】
図７で、白抜き矢印は、腕の挿入方向を示している。帯状板材１３は、シャーシ２０の上側の部分を除いて、空気袋１０の外周面１１０の内側で、腕（測定部位）の挿入口の近くに位置するように貼り付けられている。このため、シャーシ２０の内面の筒形状に沿って空気袋１０の外周面１１０をシャーシ２０の内面に、押さえつけることができ、シャーシ２０に取り付けた空気袋１０に対し腕を抜き差しした場合でも、空気袋１０がめくれてずれることはない。特に、腕の挿入口の近くで押さえつけることで、腕を抜き差しした場合の空気袋１０のめくれやずれを十分に防止することができる。
【００５４】
また、補助クッション材１５は、シャーシ２０の上側の挿入される腕（測定部位）のやや出口付近で、空気袋１０の内部に、腕の出口方向に向かって厚さが漸増するように固定されている。このため、上腕（測定部位）がカフ装置に挿入されたとき、比較的径が細くなる上腕の前方部分（前腕方向の部分）にフィットして上腕の上下方向の動きを妨げる。また、このことにより、血流音（コロトコフ音）を検出するマイクロホンを安定して上腕（測定部位）の特定位置に対向させた状態に維持できる。
【００５５】
図８は本実施例のカフ装置２を備えた血圧計１、すなわち、実施例の血圧計１の外観図である。図８（ａ）は正面図であり、図８（ｂ）は側面図である。図８（ｂ）では、図の左方向が血圧計１の正面である。図９は図８（ａ）のＥ−Ｅ断面図である。
【００５６】
図８（ｂ）にみるように血圧計１の本体の筐体は血圧計の前方（正面方向）の部分を形成するケーシング３と後方（正面と反対の方向）の部分を形成するケーシング蓋体４と下方の部分の電池蓋体５とからなっている。血圧計１は、カフ装置２と共に、回路基板、ポンプ、電磁弁等をケーシング３の中に納められて後、ケーシング蓋体４を取り付け、また、ケーシング３の下部に乾電池を収納して電池蓋体５を取り付けることで、筐体の中に各種部品が固定して納められる構造となっている。電池蓋体５の前方（正面方向）の部分には、血圧計１を腕を挿入しやすい角度に傾ける突起部（脚部）５１０が下方に突出して設けられている。
【００５７】
脚部５１０の左右方向の両端部５１３には、血圧計１の設置台と接しており、ウレタンゴムからなるすべり止め部材５１１が貼り付けてある。また、ケーシング蓋体４においても、血圧計の設置台と接する円弧状の部分（ケーシング蓋体４の下部の、図８（ａ）の左右方向のほぼ全幅にわたる部分）４１０にウレタンゴムからなるすべり止めの部材４１１が貼り付けてある。
【００５８】
血圧計１の上部には、保護フィルムの取り付けられた表示パネル２５が設けられていて、測定される血圧値や脈拍値の表示される液晶表示部２５０が設けられている。また、血圧計１の上部には、表示パネル２５の他に、図８（ａ）（ｂ）には、図示されてないが、図面上表示パネル２５の後方（正面と反対の方向）に、測定の開始スイッチと測定の停止スイッチが設けられている。
【００５９】
図９での血圧計１の上部には、保護フィルムの取り付けられた表示パネル２５の一部を形成する液晶表示部２５０と内部の液晶板２６、液晶板２６から基板２７に延びる複数のピン２８が示されている。そして、基板２７上に形成される内部スイッチ２９に連動する血圧計１の外面に設けられる停止もしくは開始のスイッチ３１が示されている。また、基板２７上の圧力センサー３２には、チューブ３３を介して、空気袋１０の固定具１１（１１ａ）の貫通孔（連通孔）に接続されており、加圧空気の圧力測定が行われるようになっている。
【００６０】
血圧計１の下部には、最も下方には、４個の乾電池３４が血圧計の幅方向（図８（ａ）の左右方向）の中央部近傍に２個ずつ２列納められている。そして、その血圧計の幅方向の外側斜め上方に、破線で示される加圧空気を供給するポンプ３５と加圧空気を排気する電磁弁３６が収められている。ポンプ３５と電磁弁３６は、共に、空気袋１０に設けられている固定具１１ｂの貫通孔にチューブ３７を介して接続されている。
【００６１】
脚部５１０は、血圧計の正面からみて幅方向（図８（ａ）の左右方向）の中央部（Ｃ−Ｃ断面近傍の部分）付近の前後幅は、乾電池を支える底面５１２が形成されることから、幅方向の両端部５１３での前後幅に比べて小さくなっている。
【００６２】
図８（ａ）と図９にみるように、本実施例のカフ装置は、空気袋１０の内周面１２０を被う布カバー３０が設けられている。
【００６３】
筒形状に形成された布カバー３０の両端には環状のたとえばナイロンチューブのような弾性リング３８が取り付けられて、血圧計１の本体の凹部３９に嵌めこまれて固定されることで、空気袋１０の内周面１２０を被うようにして布カバー３０が装着される。
【００６４】
図１０（ａ）は血圧計の本体に装着される状態での布カバー３０の外観斜視図である。布カバー３０は、一枚の布を筒形状に形成し筒形状の両端を円環状の弾性リング３８を包むように縫製することで作られ、装着される状態では、端部３１０と胴部３２０からなる鼓形状となっている。図１０（ｂ）は、円環状の弾性リング３８を納めている端部を図１０（ａ）の矢印Ａからみた図（端部の正面からみた図）であり、一部、透視した図で弾性リング３８の納めている状態が示されている。また、図１０（ｃ）は、布カバー３０を図１０（ａ）の矢印Ａとは直角方向で正面に胴部の縫い目がみえる方向からみた図であり、円環状の弾性リング３８を納めている端部の一部が透視されて示されている。図１０（ａ）（ｂ）（ｃ）で破線の部分は縫い目であり、実線の部分３１１、３２１は、布の端の部分である。
【００６５】
布カバー３０は伸縮性を有する繊維、たとえばポリウレタン繊維を２０％程度含むナイロンの２方向ストレッチ繊維より成るため、空気袋１０の内周面１２０を被ったとき、空気袋１０の幅方向（長手方向に垂直な方向）にも長さ方向（長手方向）にも自由に伸び縮みする。従って、上腕（測定部位）を挿入して加圧した際に上腕（測定部位）の太さに応じて楽に伸び縮みが可能である。すなわち、適用される測定部位の最大径の寸法に合わせて、布カバー３０の胴部の径を大きくたるまないように作っても、適用される最小径の測定部位を挿入した場合にも加圧時の空気袋１０の膨張に十分追従して伸びるため、布カバーが壊れることはない。また、適用される測定部位の最小径の寸法に合わせて、布カバー３０の胴部の径をたるまないように作っても、適用される最大径の測定部位が挿入された場合にも十分追従して伸びるため、布カバーが壊れることはない。
【００６６】
図１１は本発明の血圧計１に、上腕（測定部位）を挿入して血圧測定を行っている図である。血圧計１の本体の後部底面（ケーシング蓋体４の底面）４１０は円弧形状に形成されており、ウレタンゴムからなるすべり止めの部材４１１が、ほぼ全幅にわたって、貼り付けてある。また、前部底面（電池蓋体５の突起部）５１０にも同様のウレタンゴムからなるすべり止めの部材５１１が、両端部５１３に貼り付けてある。このことにより、本発明の血圧計は小型で軽量にもかかわらず、血圧計の置台６の上ですべることなく、安定して容易に血圧を測定することができる。
【００６７】
尚、測定部位（上腕）挿入式のカフ装置を備える血圧計では、上腕を正しく阻血するためには、測定部位（上腕）の長手方向と測定部位の挿入されるカフ装置の円筒の挿入部の軸心方向を平行にすることが望まれているが、本実施例の血圧計１では、測定部位（上腕）を円筒の挿入部（円筒のシャーシ）に挿入する角度に応じて、血圧計１の本体がすべり止めの部材４１１の貼り付けられた円弧形状の後部底面４１０を支点として回動して傾くため、簡単な構成で、容易に、測定部位（上腕）の長手方向と測定部の挿入されるカフ装置の円筒の挿入部の軸心方向を平行にすることができる。このため、本実施例の血圧計１では、被測定者に不自然に姿勢を強いられることなく、楽な姿勢で、正しく阻血して正確に血圧測定を行うことができる。
【００６８】
以上説明したように、本実施例の血圧測定用のカフ装置は、加圧空気の導入前に空気袋が膨らんだ状態に保持されるようクッション材を空気袋の内部に設けるため、加圧時間を短くできる。特に、空気袋の内周面に対向する（すなわち、測定部位に対向する）クッション材の表面に凹凸が形成されていることにより、測定部位を挿入するときの抵抗を減らして、測定部位をスムーズに挿入ができる。
【００６９】
更に、クッション材は、空気袋の内部に複数個に分割されて固定されていることで、空気袋をシャーシの内側に筒状に納めたとき、しわの発生する個所を分割したクッション材の間の位置に特定でき、クッション材のある位置では空気袋の内周面にしわがほとんど生じないようにすることができる。このため、測定部位の動脈付近に相当する空気袋の位置にクッション材を設けることで、しわにより空気袋の阻血性能が低下することによる測定精度への影響を軽減できる。
【００７０】
また、コロトコフ音を検出することによって血圧値を測定する血圧計に用いるカフ装置では、空気袋のクッション材の設けられている位置の内周面にコロトコフ音を検出するマイクロホンが取り付けられることで、加圧空気の導入後の測定状態において、測定部位にマイクロホンを密着させることができ、コロトコフ音の適切な検出ができ、精度の高い測定が実現できる。
【００７１】
また、クッション材は、空気袋の内部に、空気袋の展開形状での長手方向の略中央の位置に１個固定され、前記固定された１個のクッション材に対して長手方向の対称の位置に各１個固定され、前記対称の位置に固定されたクッション材の対向する空気袋の内周面にマイクロホンを取り付けたことで、左右の測定部位に対しても、加圧空気の導入後の測定状態において、測定部位のコロトコフ音を検出するための適切な対応位置にマイクロホンを密着させることができ、精度の高い測定が実現できる。
【００７２】
更に、空気袋の外周面に弾性を有する帯状板材を取り付けたことで、測定部位のカフ装置への抜き差しをする際に、空気袋がめくれることを防ぐことができる。特に、空気袋をシャーシの内側に納めたとき、帯状板材が、シャーシの測定部位の挿入口の近くに位置するように、空気袋の内部に取り付けることで、測定部位のカフ装置への抜き差しをする際に、空気袋がめくれることを十分に防ぐことができる。
【００７３】
更に、空気袋がシャーシの内側に筒状に納められたとき、空気袋の展開形状の長手方向の両端部が互いに重なった状態となることで、この位置の近くに、測定部位の阻血されるべき動脈が対応するように、測定者が測定部位を挿入される場合にも、正しく阻血ができる。
【００７４】
更に、重なった状態となる空気袋の両端部の少なくとも１つの端部の内部に、補助クッション材が固定されていることで、加圧空気の導入量を減らし加圧時間を減少させるとともに、測定部位がカフ装置に挿入されたとき、測定部位の上部が空気袋にフィットして、測定部位の上下方向に動くことを防止し、安定した測定を行うことができる。特に、補助クッション材は、空気袋の長手方向に垂直の方向で厚みが変化していることで、より測定部位にフィットして、測定部位の上下方向に動くことを妨げ、安定した測定を行うことができる。このため、血流音（コロトコフ音）を検出する血圧計のカフ装置では、コロトコフ音の検出時、マイクロホンを安定して測定部位の特定位置に対向した状態を維持できる。
【００７５】
更に、空気袋の外周面にきのこ形状のフランジを有する複数個の固定具を有し、前記空気袋がシャーシの内側に筒状に納められるように、前記シャーシの内側に前記フランジが係止される係止孔を有することで、空気袋のシャーシへの取り付け固定が容易にできる。特に、係止孔は、大きい穴と小さい穴の連結した達磨形状をしており、フランジが大きい穴から挿入され小さい穴に移されることで、係止されるので、空気袋のシャーシへの取り付け固定が容易に確実にできる。
【００７６】
また、固定具に空気袋への加圧空気の吸排気の連通孔や空気袋の加圧空気の圧力検出のための連通孔が設けられることで、これらの連通孔のあるノズル（連通管）を別に設ける必要がない。また、ノズル（連通管）を別に設ける場合のようにノズルの位置を確保しながら、空気袋をシャーシに取りつける必要はなく、簡単な構造で、容易に強固に空気袋をシャーシに取り付けることができる。
【００７７】
また、連通孔にはクッション材の破片が通らないようフィルターが設けられていることで、クッション材の破片がポンプや電磁弁や圧力センサーに通じる接続管に移動し、ポンプや電磁弁の機能に支障を生じたり圧力測定に支障が生じることを防止し、適切な給排気と正確な圧力測定ができる。
【００７８】
更に、空気袋がシャーシの内側に筒状に納められたとき、空気袋の内周面が伸縮性を有する繊維よりなる布カバーで被われることで、布カバーは適用される測定部位の寸法や、加圧時の空気袋の膨張に十分追従して伸びるため、加圧空気を導入しない状態で、布カバーに外観上のしわやたるみのない状態にすることができる。
【００７９】
更に、布カバーは筒形状に形成され両端に環状の弾性リングを有し、弾性リングが血圧計本体の凹部に嵌合することで、布カバーを血圧計に着脱自在に固定できる。
【００８０】
以上、本実施例のカフ装置およびそれを備える血圧計を添付図面に示す好適実施例に基づいて説明したが、本発明は、実施例に限定されるものではない。特に本実施例は、測定部位は、上腕であったが、上腕に限定されるものではなく、測定部位は手首等の前腕であっても差し支えない。
【符号の説明】
【００８１】
１…血圧計
１０…空気袋
１１、１１ａ、１１ｂ、１１ｃ、１１ｄ…固定具
１１１…固定具のきのこ形状のフランジ
１１２…固定具のくびれ部分
１１３…固定具の穴
１３…帯状板材
１４、１４ａ、１４ｂ、１４ｃ…クッション材
１５…補助クッション材
１７、１７ａ、１７ｂ…マイクロホン
１９、１９ａ、１９ｂ、１９ｃ、１９ｄ…係止孔
１９１…係止孔の大きい穴
１９２…係止孔の小さい穴
１９３…係止孔のくびれ部分
２…カフ装置
２０…シャーシ
３…ケーシング
３０…布カバー
４…ケーシング蓋体
４１０…ケーシング蓋体の底面
５…電池蓋体
５１０…電池蓋体の突起部
【図１】
2010036047.tif 000003
【図２】
2010036047.tif 000004
【図３】
2010036047.tif 000005
【図４】
2010036047.tif 000006
【図５】
2010036047.tif 000007
【図６】
2010036047.tif 000008
【図７】
2010036047.tif 000009
【図８】
2010036047.tif 000010
【図９】
2010036047.tif 000011
【図１０】
2010036047.tif 000012
【図１１】
2010036047.tif 000013
【図１２】
2010036047.tif 000014